(57)【要約】      （修正有）【課題】一見して位牌とは認識されにくく、かつ、骨壺を収納可能な仏具を提供する。【解決手段】仏具１は仏具本体１０と仏具蓋２０とを備える。仏具本体１０は、その上部に設けられた開口１３と、開口１３から仏具本体１０内へと延びる収納空間１４と、下部に設けられた脚１５とを備える。開口１３には、径方向内側に位置するブロック体１７を設ける。仏具本体１０の収納空間１４には、分骨された遺骨等を収納するための収納容器３０が収納される。収納容器３０は、容器本体３１と容器蓋３２とによって構成される。容器蓋３２の上面３２Ａには、ブロック体１７が当接する。すなわち、ブロック体１７の図面縦方向における寸法は、その下面１７Ａが容器蓋３２の上面３２Ａに当接するようにしている。【選択図】図３
0003199078.tif 000002
【実用新案登録請求の範囲】
【請求項１】
開口が形成された仏具本体と、前記開口を塞ぐ仏具蓋とを備え、
前記仏具本体は、表面と、前記開口から前記仏具本体内へと延びるとともに収納容器を収納可能な収納空間とを有し、
前記表面に表示部を設けたことを特徴とする仏具。
【請求項２】
前記開口の径方向内側に位置するとともに、前記仏具蓋と前記収納容器の上端部との間に位置するブロック体をさらに備えることを特徴とする請求項１記載の仏具。
【考案の詳細な説明】
【技術分野】
【０００１】
この考案は、分骨用の骨壺を収納することができる仏具に関し、より詳細には、位牌としても使用することができる仏具に関する。
【背景技術】
【０００２】
従来、一般的な位牌の下方に分骨用の骨壺を収納することができる仏具が知られている。位牌と骨壺とを一体化することによって、仏具全体のコンパクト化が可能であり、仏壇がない家でもこの仏具を置くことによって供養することができる。
【先行技術文献】
【特許文献】
【０００３】
【特許文献１】特開２０１２−２１３５３８号公報
【特許文献２】特開２００４−０２４４０３号公報
【考案の概要】
【考案が解決しようとする課題】
【０００４】
しかしながら、従来の位牌と骨壺が一体化された仏具は、骨壺を収納可能な台座と、台座に立設する札板とを備えるものである。札板を設けることによって、従来の仏具は一見して位牌と認識できるものであった。仏壇のない家において、位牌と骨壺とが一体化された仏具は居間や寝室に置かれることが多く、一見して位牌と認識できるものは敬遠されがちであり、また、部屋のインテリアに馴染まないこともある。
【０００５】
この考案では、一見して位牌とは認識されにくく、かつ、骨壺を収納可能な仏具を提供することを課題とする。
【課題を解決するための手段】
【０００６】
この考案は、開口が形成された仏具本体と、前記開口を塞ぐ仏具蓋とを備え、前記仏具本体は、表面と、前記開口から前記仏具本体内へと延びるとともに収納容器を収納可能な収納空間とを有し、前記表面に表示部を設けたことを特徴とする。
【０００７】
この考案は、前記開口の径方向内側に位置するとともに、前記仏具蓋と前記収納容器の上端部との間に位置するブロック体をさらに備えていてもよい。
【考案の効果】
【０００８】
この考案によれば、仏具本体の表面に表示部を設け、この表示部に戒名等を記すことができるので、札板を用いる必要がなく、一見して位牌とは認識できないような外観にすることができる。また、仏具本体内に収納容器を収容することができ、収納容器には遺骨を入れることができるので、この仏具を用いた供養が可能となる。
【図面の簡単な説明】
【０００９】
【図１】この考案の仏具の一実施形態を示した図。
【図２】図１の分解組立図。
【図３】図１のＩＩＩ−ＩＩＩ線断面図。
【考案を実施するための形態】
【００１０】
図１を参照すれば、仏具１は仏具本体１０と仏具蓋２０とを備える。仏具本体１０は、その表面１２が曲面を有し、表面１２には表示部１１が設けられる。表示部１１には、戒名や個人の似顔絵等を表示することができる。仏具本体１０の図面下方には脚１５が設けられ、仏具本体１０を安定して設置できるようにしている。仏具本体１０は、図面横方向における断面形状が円形であるとともに、脚１５から図面上方に向かってその径が徐々に大きくなり、さらに、その上方に向かって小さくなるような形状を有する。すなわち、一部にふくらみを持つ提灯のような形状である。
【００１１】
図２および図３を参照すれば、仏具本体１０はその上部に設けられた開口１３と、開口１３から仏具本体１０内へと延びる収納空間１４と、開口１３と収納空間１４との間に位置する円筒部１６とを備える。収納空間１４は、図面横方向における断面形状がほぼ円形であり、全体として図面縦方向に延びる筒状になっている。この実施形態において収納空間１４の径は、円筒部１６から下方に向かって大きくなり、さらにその下方に向かって小さくなるような形状を有する。すなわち、収納空間１４の形状と仏具本体１０の表面１２に現れる形状とがほぼ等しい。円筒部１６は、その上端から下端までの径方向の寸法がほぼ同じであり、その断面形状は円形である。
【００１２】
開口１３には、少なくともその一部が径方向内側に位置するブロック体１７を設ける。この実施形態において、ブロック体１７はその断面形状は円形であり、開口１３から円筒部１６の径方向内側へと延びる。ブロック体１７は、その上方、すなわち収納空間１４に対向する面とは反対側に、円筒部１６の径方向の寸法よりも大きいリブ１８を備える。リブ１８を設けることによって、ブロック体１７が収納空間１４に落下するのを防止することができる。さらに、リブ１８の上方には、つまみ１９を備える。
【００１３】
仏具蓋２０は、ほぼ円形の頂部２１と、頂部２１の周囲から起立する側部２２とを備える。頂部２１は仏具本体１０の開口１３を覆うことが可能な大きさを有し、側部２２は円筒部１６の外側に位置する。
【００１４】
仏具本体１０の収納空間１４には、分骨された遺骨等を収納するための収納容器３０が収納される。収納容器３０は、容器本体３１と容器蓋３２とによって構成される。この実施形態において、収納容器３０は容器本体３１に容器蓋３２を被せた状態で、全体的に円筒形を有し、径方向における寸法が開口１３および円筒部１６の径方向における寸法よりもわずかに小さくされる。また、収納容器３０の高さ方向における寸法は、これを収納空間１４に収納したとき、開口１３から突出しない大きさであって、さらには、その上端部が円筒部１６に対向するような大きさである。
【００１５】
容器蓋３２を容器本体３１に被せたとき、容器本体３１内部が密閉され、容器蓋３２が容易に容器本体３１から離脱しないような構成にすることが望ましい。すなわち、容器蓋３２を把持して持上げたときでも、容器蓋３２が容器本体３１から外れないようにすることが望ましい。この実施形態では、容器蓋３２の内径が、これに対向する容器本体３１の外径よりもわずかに大きくなる程度にして、容器蓋３２と容器本体３１とが密着するようにしている。
【００１６】
収納容器３０を仏具本体１０の収納空間１４に収納したとき、収納容器３０の上端部である容器蓋３２の上面３２Ａが円筒部１６に対向して位置する。円筒部１６は収納容器３０の径よりもわずかに大きくなるようにしているので、容器蓋３２の上面３２Ａが円筒部１６によって支持され、収納容器３０が収納空間１４内において図面横方向へ大きく移動することがない。
【００１７】
容器蓋３２の上面３２Ａには、ブロック体１７が当接する。すなわち、ブロック体１７の図面縦方向における寸法は、その下面１７Ａが容器蓋３２の上面３２Ａに当接するようにしている。したがって、ブロック体１７を円筒部１６に挿入することによって、収納容器３０の縦方向における移動を規制することができる。
【００１８】
上記のような収納容器３０には、例えば分骨された遺骨を入れることができる。収納容器３０は容器蓋３２によって密閉されるから、遺骨が容器本体３１からこぼれてしまうことがない。また、収納容器３０の移動が規制されるから、収納空間１４における収納容器３０のがたつきを防止し、容器蓋３２が外れたり、遺骨が崩れたりするのを予防することができる。
【００１９】
この実施形態において、収納容器３０は、円筒部１６およびブロック体１７によって保持され、収納空間１４に収納された際の横方向および縦方向の移動が規制されるので、収納容器３０を保持するために収納空間１４の形状が制約されることがない。すなわち、収納空間１４を種々の形状にすることができる。この実施形態では、収納空間１４をふくらみを有する形状とし、表面１２を曲面で構成することができる。
【００２０】
上記のような仏具１は、仏具本体１０がふくらみを有することによって、意匠的に優れたものとすることができる。また、表示部１１に戒名等を表示することによって、仏具１を位牌として用いることができる。このような仏具１は、一見して位牌とは認識されにくく、居住空間に馴染みやすい。また、表示部１１を居住空間から見えないように、例えば壁側に向けることによって、より一層位牌とは認識されにくくすることができる。そして、この仏具１を用いて、礼拝供養する場合には、仏具本体１０を回転させ表示部１１を見えるようにすることができる。
【００２１】
この実施形態において、ブロック体１７を仏具蓋２０と別体としているが、これらが一体となったものでもよい。すなわち、仏具蓋２０の内側にブロック体１７が取り付けられているようなものでもよい。また、仏具本体１０、仏具蓋２０および収納容器３０の形状は、この実施形態で説明したものに限定されるものではなく、種々の形状とすることができる。さらに、仏具１は木材、金属、樹脂等、この技術分野において知られる通常の材質のものを用いることができる。
【符号の説明】
【００２２】
１    仏具
１０    仏具本体
１１    表示部
１２    表面
１３    開口
１４    収納空間
１７    ブロック体
２０    仏具蓋
３０    収納容器
【図１】
0003199078.tif 000003
【図２】
0003199078.tif 000004
【図３】
0003199078.tif 000005